(57)【要約】      （修正有）【課題】ゴルフ用レーザ距離計を、携帯中の落下を確実に防止しつつ必要時に迅速容易に使用することができるゴルフ用レーザ距離計の携帯具を提供する。【解決手段】ゴルフ用レーザ距離計５０を携帯するための携帯具１は、携帯具本体１０と、携帯具本体１０をゴルフ用レーザ距離計５０に固定する取付具３０とを備え、携帯具本体１０は、互いに対向するように隙間をあけて配置されて使用者のズボンＰおよびベルトＢを挟持する一対の挟持部１１、１２を備える。取付具３０は、布や革、ゴムなどからなる帯状のベルト本体３１を備えており、ベルト本体３１の長手方向一端部の表面側および長手方向他端部の裏面側に、それぞれ面ファスナー３２、３３が設けられている。【選択図】図４
0003230691.tif 000002
【実用新案登録請求の範囲】
【請求項１】
ゴルフ用レーザ距離計を携帯するための携帯具であって、
携帯具本体と、前記携帯具本体をゴルフ用レーザ距離計に固定する取付具とを備え、
前記携帯具本体は、互いに対向するように隙間をあけて配置されて使用者のズボンおよびベルトを挟持する一対の挟持部を備えるゴルフ用レーザ距離計の携帯具。
【請求項２】
一対の前記挟持部は、基端側で連結されて、先端側からズボンおよびベルトを挿入可能に形成されており、
前記取付具は、一方の前記挟持部に設けられて、一方の前記挟持部をゴルフ用レーザ距離計の外面に沿うように固定する請求項１に記載のゴルフ用レーザ距離計の携帯具。
【請求項３】
他方の前記挟持部の先端部には、一方の前記挟持部との隙間が先端側に向けて徐々に広がるように湾曲する湾曲部が形成されている請求項２に記載のゴルフ用レーザ距離計の携帯具。
【考案の詳細な説明】
【技術分野】
【０００１】
本考案は、ゴルフ用レーザ距離計の携帯具に関する。
【背景技術】
【０００２】
ゴルフプレーにおいて次の目標地点までの距離を正確に把握するためのレーザ距離計が、従来から知られている。ゴルフ用のレーザ距離計は、ファインダーを覗きながら目標物に照準を合わせ、計測ボタンを押すことにより、目標物までの距離が画面表示される構成が一般的である。最近のゴルフ用レーザ距離計は、小型化が図られているものの、ズボンのポケット等には収容できない大きさであることから、ズボンのベルトに取り付けた専用ケースに収容して携帯することが通常行われる。ゴルフ用レーザ距離計を収容する従来のケースとして、例えば、特許文献１に開示された構成が知られている。
【先行技術文献】
【特許文献】
【０００３】
【特許文献１】登録意匠第１６５９８９５号公報
【考案の概要】
【考案が解決しようとする課題】
【０００４】
ゴルフ用レーザ距離計のケースは、ゴルフスイングの邪魔にならないようにベルトの背中側に取り付ける必要があるため、ケースの開口からレーザ距離計を収容する作業が困難になる一方、これを回避するために開口を大きくすると、プレー中にレーザ距離計が落下し易いという問題があった。また、開口を覆う蓋をケースに取り付けた場合には、使用者が蓋の開閉を背中側で行う必要があるため、作業が煩雑になるという問題があった。
【０００５】
そこで、本考案は、ゴルフ用レーザ距離計を、携帯中の落下を確実に防止しつつ必要時に迅速容易に使用することができるゴルフ用レーザ距離計の携帯具の提供を目的とする。
【課題を解決するための手段】
【０００６】
本考案の前記目的は、ゴルフ用レーザ距離計を携帯するための携帯具であって、携帯具本体と、前記携帯具本体をゴルフ用レーザ距離計に固定する取付具とを備え、前記携帯具本体は、互いに対向するように隙間をあけて配置されて使用者のズボンおよびベルトを挟持する一対の挟持部を備えるゴルフ用レーザ距離計の携帯具により達成される。
【０００７】
このゴルフ用レーザ距離計の携帯具は、一対の前記挟持部が、基端側で連結されて、先端側からズボンおよびベルトを挿入可能に形成されていることが好ましく、前記取付具は、一方の前記挟持部に設けられて、一方の前記挟持部をゴルフ用レーザ距離計の外面に沿うように固定することが好ましい。他方の前記挟持部の先端部には、一方の前記挟持部との隙間が先端側に向けて徐々に広がるように湾曲する湾曲部が形成されていることが好ましい。
【考案の効果】
【０００８】
本考案のゴルフ用レーザ距離計の携帯具によれば、ゴルフ用レーザ距離計を、携帯中の落下を確実に防止しつつ必要時に迅速容易に使用することができる。
【図面の簡単な説明】
【０００９】
【図１】本考案の一実施形態に係るゴルフ用レーザ距離計の携帯具の平面図である。
【図２】図１のＡ−Ａ断面の要部拡大図である。
【図３】前記ゴルフ用レーザ距離計の携帯具の要部斜視図である。
【図４】前記ゴルフ用レーザ距離計の携帯具の使用状態の一例を示す図である。
【図５】前記ゴルフ用レーザ距離計の携帯具の使用状態の他の例を示す図である。
【考案を実施するための形態】
【００１０】
以下、本考案の一実施形態について添付図面を参照しつつ説明する。図１は、本考案の一実施形態に係るゴルフ用レーザ距離計の携帯具（以下、単に「携帯具」という。）１の平面図である。図１に示すように、携帯具１は、携帯具本体１０および取付具３０を備えている。
【００１１】
図２は、図１のＡ−Ａ断面において、携帯具本体１０の近傍を拡大して示す図である。また、図３は、携帯具本体１０の斜視図である。図１から図３に示すように、携帯具本体１０は、隙間をあけて配置された板状の一対の挟持部１１，１２を備えている。一対の挟持部１１，１２は、基端側が連結部１３において互いに連結されて、先端側が開放されており、互いに対向する挟持面１１ａ，１２ａを有している。携帯具本体１０は、例えば合成樹脂や金属材料等により形成することができる。
【００１２】
一方の挟持部１１は、挟持面１１ａの先端側が斜め下方に傾斜して屈曲部１４が形成されており、挟持面１１ａと屈曲部１４の上面との間に段部１５が形成されている。屈曲部１４には、幅方向に延びるスリット状の挿通口１６が形成されている。
【００１３】
他方の挟持部１２は、挟持面１２ａよりも先端側の先端部に湾曲部１７が形成されている。湾曲部１７は、一方の挟持部１１との間に形成される隙間が先端側に向けて徐々に広がるように、円弧状に湾曲している。
【００１４】
携帯具本体１０は、連結部１３を挟んで一対の挟持部１１，１２の反対側に、当接部１８が設けられている。当接部１８は、幅方向に延びるスリット状の挿通口１９が形成されており、挿通口１９の周縁部の下面側が当接面とされている。当接部１８の幅方向両側には起立壁２０，２０が設けられており、各起立壁２０には、ストラップ等を取り付けることができるストラップ孔２１が形成されている。
【００１５】
取付具３０は、布や革、ゴムなどからなる帯状のベルト本体３１を備えており、ベルト本体３１の長手方向一端部の表面側および長手方向他端部の裏面側に、それぞれ面ファスナー３２，３３が設けられている。面ファスナー３２，３３は、ベルト本体３１をループ状に湾曲させて、互いに接合させることができる。図２に示すように、取付具３０は、長手方向中央部が一方の挟持部１１の下方に配置されて、長手方向両端部がそれぞれ挿通口１６，１９に挿通されることにより、一方の挟持部１１に取り付けられている。
【００１６】
上記の構成を備える携帯具１は、図４に示すように、レーザ距離計５０の外面における測定ボタン５１と干渉しない位置にベルト本体３１を巻き付けて、面ファスナー３２，３３同士を接合することにより、携帯具本体１０をレーザ距離計５０に固定することができる。一方の挟持部１１は、屈曲部１４および当接部１８がレーザ距離計５０に当接し、レーザ距離計５０の外面に沿うように、取付具３０により固定される。これにより、レーザ距離計５０に対する携帯具本体１０の固定が確実に行われる。取付具３０は、本実施形態のベルト状の構成に限定されるものではなく、例えば、レーザ距離計５０の一部に外嵌されるカバーや、レーザ距離計５０の外面に貼着される貼着テープ等であってもよい。
【００１７】
レーザ距離計５０の携帯時においては、他方の挟持部１２の湾曲部１７の先端を、使用者のシャツＳに沿って図４の矢示方向に摺動させることで、図５に示すように、ズボンＰの上部およびベルトＢを、一対の挟持部１１，１２の挟持面１１ａ，１２ａの間に挟持することができる。一対の挟持部１１，１２によるズボンＰおよびベルトＢの挟持位置は、使用者の背中側であれば特に限定されず、任意の箇所を挟持することができるため、従来のようにレーザ距離計５０をケースに収容する場合に比べて、作業を迅速容易に行うことができる。
【００１８】
湾曲部１７は、一方の挟持部１１との隙間が先端側に向けて徐々に広がるように湾曲しているため、シャツＳとズボンＰとの隙間に湾曲部１７を容易に挿入することができると共に、一対の挟持部１１，１２によるズボンＰおよびベルトＢの挟持も容易に行うことができる。
【００１９】
一方の挟持部１１に形成された段部１５は、ベルト本体３１の厚みと略同じ高さを有することが好ましく、これによって、ベルト本体３１がベルトＢと摺動して損傷するのを効果的に抑制することができる。
【００２０】
レーザ距離計５０の使用時には、使用者がレーザ距離計５０を把持してズボンＰおよびベルトＢから単に引き上げるだけで、一対の挟持部１１，１２によるズボンＰおよびベルトＢの挟持が容易に解除される。携帯具本体１０は、一対の挟持部１１，１２の先端側が、レーザ距離計５０のファインダー５２側に位置するように、レーザ距離計５０に固定されていることが好ましく、これによって、レーザ距離計５０をズボンＰおよびベルトＢから引き上げた後、レーザ距離計５０を持ち替えることなくそのまま使用して、目標物までの距離計測を行うことができる。
【００２１】
レーザ距離計５０が携帯時に脱落するのをより確実に防止するために、カラビナ等の係合部を有する伸縮可能なスパイラル状のストラップ（図示せず）をストラップ孔２１に取り付けて、係合部をズボンＰのベルト通し等に係合させてもよい。
【符号の説明】
【００２２】
１  ゴルフ用レーザ距離計の携帯具
１０  携帯具本体
１１，１２  挟持部
１７  湾曲部
３０  取付具
５０  レーザ距離計
【図１】
0003230691.tif 000003
【図２】
0003230691.tif 000004
【図３】
0003230691.tif 000005
【図４】
0003230691.tif 000006
【図５】
0003230691.tif 000007